(57)【要約】【課題】蓄電モジュールと冷却板との位置ずれを抑制することが可能な蓄電装置を提供する。【解決手段】蓄電装置１０は、複数のバイポーラ電極３２がセパレータ４０を介して積層された蓄電モジュール１２と、複数のバイポーラ電極３２の積層方向において、蓄電モジュール１２に対して積層されると共に蓄電モジュール１２に接触した状態で配置された導電性を有する冷却板１４と、を備え、蓄電モジュール１２の積層方向における一方側の端部１２ａ及び他方側の端部１２ｂの少なくとも一方に、蓄電モジュール１２に対する冷却板１４の位置を規定する位置決め部６０が設けられている。【選択図】図３
2019175585.tif 000002
【特許請求の範囲】
【請求項１】
電極板の一方の面に正極層が設けられると共に前記電極板の他方の面に負極層が設けられた複数のバイポーラ電極がセパレータを介して積層された蓄電モジュールと、
前記複数のバイポーラ電極の積層方向において、前記蓄電モジュールに対して積層されると共に前記蓄電モジュールに接触した状態で配置された導電性を有する冷却板と、を備え、
前記蓄電モジュールの前記積層方向における一方側の端部及び他方側の端部の少なくとも一方に、前記蓄電モジュールに対する前記冷却板の位置を規定する位置決め部が設けられている、蓄電装置。
【請求項２】
前記積層方向から見て前記冷却板は矩形状であり、
前記位置決め部は、少なくとも前記冷却板の対角線上の一対の角部に対応する位置に設けられると共に、前記積層方向から見てＬ字状である、請求項１に記載の蓄電装置。
【請求項３】
前記冷却板には、前記積層方向に交差する方向に延在し、冷媒が流通する貫通孔が設けられ、
前記位置決め部は、前記貫通孔が延在する方向に沿った前記冷却板の側面に対応する位置に設けられている、請求項１に記載の蓄電装置。
【請求項４】
前記位置決め部は、前記蓄電モジュールの前記一方側の端部及び前記他方側の端部の両方に設けられている、請求項１〜３の何れか一項に記載の蓄電装置。
【請求項５】
前記蓄電モジュール及び前記冷却板をそれぞれ複数備え、
前記蓄電モジュールと前記冷却板とは交互に積層され、
前記位置決め部は、それぞれの前記蓄電モジュールの前記一方側の端部にのみ設けられている、請求項１〜３の何れか一項に記載の蓄電装置。
【請求項６】
前記位置決め部は、前記蓄電モジュールの前記一方側の端部から前記積層方向に突出し、
前記蓄電モジュールの前記他方側の端部には、前記位置決め部及び前記冷却板に対応した凹部が設けられている、請求項５に記載の蓄電装置。
【発明の詳細な説明】
【技術分野】
【０００１】
本発明は、蓄電装置に関する。
【背景技術】
【０００２】
従来の蓄電装置として、例えば特許文献１に記載されている技術が知られている。特許文献１に記載の蓄電装置は、複数のバイポーラ電極が積層された複数のバイポーラ二次電池（蓄電モジュール）と、バイポーラ二次電池同士の間に積層され、バイポーラ二次電池を冷却可能な集電板（冷却板）とを備えている。
【先行技術文献】
【特許文献】
【０００３】
【特許文献１】特開２００７−３０５４２５号公報
【発明の概要】
【発明が解決しようとする課題】
【０００４】
しかしながら、このように蓄電モジュールに対して冷却板を積層した場合、蓄電モジュールと冷却板との間に位置ずれが発生する可能性がある。その結果、蓄電モジュールの複数のバイポーラ電極のうち、冷却板に接するバイポーラ電極の電極板が破損するといった事態が発生し得る。
【０００５】
本発明は、蓄電モジュールと冷却板との位置ずれを抑制することが可能な蓄電装置を提供することを目的とする。
【課題を解決するための手段】
【０００６】
本発明の一側面に係る蓄電装置は、電極板の一方の面に正極層が設けられると共に電極板の他方の面に負極層が設けられた複数のバイポーラ電極がセパレータを介して積層された蓄電モジュールと、複数のバイポーラ電極の積層方向において、蓄電モジュールに対して積層されると共に蓄電モジュールに接触した状態で配置された導電性を有する冷却板と、を備え、蓄電モジュールの積層方向における一方側の端部及び他方側の端部の少なくとも一方に、蓄電モジュールに対する冷却板の位置を規定する位置決め部が設けられている。
【０００７】
この蓄電装置では、蓄電モジュールの積層方向における一方側の端部及び他方側の端部の少なくとも一方に、蓄電モジュールに対する冷却板の位置を規定する位置決め部が設けられている。このように位置決め部が設けられていることにより、蓄電モジュールに対して冷却板が固定される。したがって、蓄電モジュールと冷却板との位置ずれを抑制することができる。
【０００８】
積層方向から見て冷却板は矩形状であり、位置決め部は、少なくとも冷却板の対角線上の一対の角部に対応する位置に設けられると共に、積層方向から見てＬ字状であってもよい。この構成によれば、位置決め部の体積を小さくできるので、材料費の低減を図りつつ、蓄電モジュールと冷却板との位置ずれを抑制することができる。
【０００９】
冷却板には、積層方向に交差する方向に延在し、冷媒が流通する貫通孔が設けられ、位置決め部は、貫通孔が延在する方向に沿った冷却板の側面に対応する位置に設けられてもよい。この構成によれば、冷媒の流通を妨げない位置に位置決め部が設けられているので、冷却板による冷却能力を低下させることなく、蓄電モジュールと冷却板との位置ずれを抑制することができる。
【００１０】
位置決め部は、蓄電モジュールの一方側の端部及び他方側の端部の両方に設けられていてもよい。この構成によれば、一の冷却板が隣り合う２つの蓄電モジュールの位置決め部によって固定されるので、蓄電モジュールと冷却板との位置ずれをより確実に抑制することができる。
【００１１】
蓄電装置は、蓄電モジュール及び冷却板をそれぞれ複数備え、蓄電モジュールと冷却板とは交互に積層され、位置決め部は、それぞれの蓄電モジュールの一方側の端部にのみ設けられていてもよい。この構成によれば、それぞれの蓄電モジュールの他方側の端部に位置決め部が設けられていないので、蓄電モジュールと、この蓄電モジュールの他方側に配置され、他の蓄電モジュールの位置決め部よって位置決めされた冷却板との間で寸法の公差を吸収できる。したがって、蓄電モジュールと複数の冷却板との積層を容易に行うことができる。
【００１２】
位置決め部は、蓄電モジュールの一方側の端部から積層方向に突出し、蓄電モジュールの他方側の端部には、位置決め部及び冷却板に対応した凹部が設けられていてもよい。この構成によれば、一の蓄電モジュールの位置決め部が、一の蓄電モジュールの一方側において隣り合う他の蓄電モジュールの凹部に嵌合可能である。したがって、位置決め部によって隣り合う蓄電モジュール同士の位置決めを行うことができる。
【発明の効果】
【００１３】
本発明によれば、蓄電モジュールと冷却板との位置ずれを抑制することが可能な蓄電装置が提供される。
【図面の簡単な説明】
【００１４】
【図１】一実施形態に係る蓄電装置を示す概略断面図である。
【図２】図１の蓄電装置に含まれる蓄電モジュールを示す概略断面図である。
【図３】図１の蓄電モジュール及び冷却板の位置決め構造を示す概略断面図である。
【図４】積層方向から見た蓄電モジュール及び冷却板を概略的に示す図である。
【図５】位置決め部の変形例を概略的に示す図である。
【図６】位置決め部の他の変形例を示す概略断面図である。
【図７】位置決め部の更に他の変形例を示す概略断面図である。
【発明を実施するための形態】
【００１５】
以下、図面を参照して種々の実施形態について詳細に説明する。なお、各図面において同一又は相当の部分に対しては同一の符号を付し、重複する説明を省略する。図１〜６には、ＸＹＺ直交座標系が示される。
【００１６】
図１に示される蓄電装置１０は、例えばフォークリフト、ハイブリッド自動車、電気自動車等の各種車両のバッテリとして用いられる。蓄電モジュール１２は、例えば、バイポーラ電池である。以下の説明では、そのような蓄電モジュール１２として、ニッケル水素二次電池を例示する。
【００１７】
複数の蓄電モジュール１２は、金属板等の冷却板１４を介して積層されて配列体１１を形成している。冷却板１４は、蓄電モジュールに接触した状態で配置されている。積層方向（Ｚ方向）から見たとき、蓄電モジュール１２及び冷却板１４は、例えば、矩形形状を有する。積層方向から見たとき、冷却板１４は、蓄電モジュール１２よりも小さくなっている。言い換えれば、冷却板１４は、積層方向から見たときに蓄電モジュール１２が配置される領域内に配置されている。冷却板１４は導電性を有しており、隣り合う蓄電モジュール１２と電気的に接続される。これにより、複数の蓄電モジュール１２が積層方向に直列に接続されている。蓄電モジュール１２には、蓄電モジュール１２に対する冷却板１４の位置を規定する位置決め部６０（図３及び図４参照）が設けられている。位置決め部６０の詳細な構成については後述する。
【００１８】
冷却板１４は、蓄電モジュール１２の積層方向において両端に位置する蓄電モジュール１２の外側にもそれぞれ配置される。すなわち、冷却板１４は、積層方向において、配列体１１の両端にも配置されている。積層方向において、一端に位置する冷却板１４には正極端子２４が接続されており、他端に位置する冷却板１４には負極端子２６が接続されている。正極端子２４及び負極端子２６は、接続される冷却板１４と一体であってもよい。正極端子２４及び負極端子２６は、積層方向に交差する方向（Ｘ方向）に延在している。これらの正極端子２４及び負極端子２６により、蓄電装置１０の充放電を実施できる。
【００１９】
冷却板１４は、蓄電モジュール１２において発生した熱を放出するための放熱板として機能し得る。冷却板１４の内部には、積層方向に交差する交差方向（Ｙ方向）に延在する複数の貫通孔１４Ｈが設けられている。貫通孔１４Ｈは、交差方向において互いに対向する一方の端面から他方の端面まで連通している。貫通孔１４Ｈは、積層方向及び交差方向に交差する方向（Ｘ方向）に配列されている。貫通孔１４Ｈには、例えば空気等の冷媒が流通される。これにより、蓄電モジュール１２において発生した熱を効果的に外部に放出できる。
【００２０】
蓄電装置１０は、交互に積層された蓄電モジュール１２及び冷却板１４を積層方向に拘束する拘束部材１５を備え得る。拘束部材１５は、一対の拘束プレート１６，１７と、拘束プレート１６，１７同士を連結する連結部材（ボルト１８及びナット２０）と、を備える。各拘束プレート１６，１７と冷却板１４との間には、例えば、樹脂フィルムなどの絶縁フィルム２２が配置される。各拘束プレート１６，１７は、例えば、鉄等の金属によって構成されている。
【００２１】
積層方向から見たとき、各拘束プレート１６，１７及び絶縁フィルム２２は、例えば、矩形形状を有する。絶縁フィルム２２は、冷却板１４よりも大きくなっており、各拘束プレート１６，１７は、蓄電モジュール１２よりも大きくなっている。積層方向から見たとき、拘束プレート１６の縁部には、ボルト１８の軸部が挿通される挿通孔１６ａが蓄電モジュール１２よりも外側となる位置に設けられている。同様に、積層方向から見たとき、拘束プレート１７の縁部には、ボルト１８の軸部が挿通される挿通孔１７ａが蓄電モジュール１２よりも外側となる位置に設けられている。積層方向から見たときに各拘束プレート１６，１７が矩形形状を有している場合、挿通孔１６ａ及び挿通孔１７ａは、拘束プレート１６，１７の角部に位置する。
【００２２】
一方の拘束プレート１６は、負極端子２６に接続された冷却板１４に絶縁フィルム２２を介して突き当てられ、他方の拘束プレート１７は、正極端子２４に接続された冷却板１４に絶縁フィルム２２を介して突き当てられている。ボルト１８は、例えば、一方の拘束プレート１６側から他方の拘束プレート１７側に向かって挿通孔１６ａ及び挿通孔１７ａに通され、他方の拘束プレート１７から突出するボルト１８の先端には、ナット２０が螺合されている。これにより、絶縁フィルム２２、冷却板１４、及び蓄電モジュール１２が挟持されてユニット化されると共に、積層方向に拘束荷重が付加される。
【００２３】
図２に示されるように、蓄電モジュール１２は、複数のバイポーラ電極３２が一方向（積層方向）に積層された積層体３０を備える。バイポーラ電極３２の積層方向から見たとき、積層体３０は、例えば矩形形状を有する。隣り合うバイポーラ電極３２の間にはセパレータ４０が配置され得る。バイポーラ電極３２は、電極板３４と、電極板３４の一方面に設けられた正極層３６と、電極板３４の他方面に設けられた負極層３８と、を含む。積層体３０において、一のバイポーラ電極３２の正極層３６は、セパレータ４０を挟んで積層方向に隣り合う一方のバイポーラ電極３２の負極層３８と対向し、一のバイポーラ電極３２の負極層３８は、セパレータ４０を挟んで積層方向に隣り合う他方のバイポーラ電極３２の正極層３６と対向している。
【００２４】
積層方向において、積層体３０の一端には、内側面に負極層３８が配置された電極板３４（負極側終端電極）が配置され、積層体３０の他端には、内側面に正極層３６が配置された電極板３４（正極側終端電極）が配置される。負極側終端電極の負極層３８は、セパレータ４０を介して最上層のバイポーラ電極３２の正極層３６と対向している。正極側終端電極の正極層３６は、セパレータ４０を介して最下層のバイポーラ電極３２の負極層３８と対向している。これら終端電極の電極板３４はそれぞれ隣り合う冷却板１４（図１参照）に接続される。
【００２５】
蓄電モジュール１２は、バイポーラ電極３２の積層方向に延在する積層体３０の側面３０ａにおいて電極板３４の縁部３４ａを保持する枠体５０を備える。枠体５０は、積層体３０の側面３０ａを取り囲むように構成されている。枠体５０は、バイポーラ電極３２の積層方向から見て、例えば、矩形形状を有している。枠体５０は、電極板３４の縁部３４ａを保持する第１樹脂部５２と、積層方向から見たときに第１樹脂部５２の周囲に設けられた第２樹脂部５４とを有する。
【００２６】
枠体５０の内壁を構成する第１樹脂部５２は、各バイポーラ電極３２の電極板３４の一方面（正極層３６が形成される面）から縁部３４ａにおける電極板３４の端面にわたって設けられている。バイポーラ電極３２の積層方向から見たとき、各第１樹脂部５２は、各バイポーラ電極３２の電極板３４の縁部３４ａの全周にわたって設けられている。隣り合う第１樹脂部５２同士は、各バイポーラ電極３２の電極板３４の他方面（負極層３８が形成される面）の外側に延在する面において溶着している。その結果、第１樹脂部５２には、各バイポーラ電極３２の電極板３４の縁部３４ａが埋没して保持されている。各バイポーラ電極３２の電極板３４の縁部３４ａと同様に、積層体３０の両端に配置された電極板３４の縁部３４ａも第１樹脂部５２に埋没した状態で保持されている。これにより、積層方向に隣り合う電極板３４，３４間には、当該電極板３４，３４と第１樹脂部５２とによって気密に仕切られた内部空間Ｖが形成されている。当該内部空間Ｖには、例えば水酸化カリウム水溶液等のアルカリ溶液からなる電解液（不図示）が収容されている。
【００２７】
枠体５０の外壁を構成する第２樹脂部５４は、バイポーラ電極３２の積層方向において積層体３０の全長にわたって延在する筒状部である。第２樹脂部５４は、バイポーラ電極３２の積層方向に延在する第１樹脂部５２の外側面を覆っている。第２樹脂部５４は、バイポーラ電極３２の積層方向に延在する内側面において第１樹脂部５２の外側面に溶着されている。第２樹脂部５４は、例えば絶縁性の樹脂を用いた射出成形によって矩形に筒状に形成されている。
【００２８】
電極板３４は、例えば、ニッケルからなる矩形の金属箔である。電極板３４の縁部３４ａは、正極活物質及び負極活物質が塗工されていない未塗工領域となっており、当該未塗工領域が枠体５０の内壁を構成する第１樹脂部５２に埋没して保持される領域となっている。正極層３６を構成する正極活物質の例には、水酸化ニッケルが含まれる。負極層３８を構成する負極活物質の例には、水素吸蔵合金が含まれる。電極板３４の他方面における負極層３８の形成領域は、電極板３４の一方面における正極層３６の形成領域に対して一回り大きくなっている。なお、電極板３４は、導電性樹脂から形成されてもよい。
【００２９】
セパレータ４０は、例えば、シート状に形成されている。セパレータ４０を形成する材料の例には、ポリエチレン（ＰＥ）、ポリプロピレン（ＰＰ）等のポリオレフィン系樹脂からなる多孔質フィルム、ポリプロピレン、ポリエチレンテレフタレート（ＰＥＴ）、メチルセルロース等からなる織布及び不織布等が含まれる。また、セパレータ４０は、フッ化ビニリデン樹脂化合物で補強されていてもよい。
【００３０】
枠体５０（第１樹脂部５２及び第２樹脂部５４）を構成する樹脂材料の例には、ポリプロピレン（ＰＰ）、ポリフェニレンサルファイド（ＰＰＳ）、及び変性ポリフェニレンエーテル（変性ＰＰＥ）等が含まれる。
【００３１】
次に、図３及び図４を参照して、蓄電モジュール１２と冷却板１４との位置決め構造、及び位置決め部６０について詳細に説明する。位置決め部６０は、蓄電モジュール１２の積層方向における一方側の端部及び他方側の端部の少なくとも一方に設けられており、冷却板１４の位置を固定している。本実施形態では、図３及び図４に示されるように、位置決め部６０は、それぞれの蓄電モジュール１２の一方側（すなわち、蓄電モジュール１２の正極となる側）の端部１２ａのみに設けられている。位置決め部６０は、枠体５０の外壁を構成する第２樹脂部５４から積層方向に交差する面に沿って延出し、冷却板１４に当接している。位置決め部６０の上面と第２樹脂部５４の上面とは面一である。本実施形態では、位置決め部６０は枠体５０の第２樹脂部５４と一体に形成されているが、位置決め部６０は第２樹脂部５４と別体であってもよい。蓄電モジュール１２の他方側（すなわち、蓄電モジュール１２の負極となる側）の端部１２ｂには、枠体５０の外壁を構成する第２樹脂部５４の開口によって凹部Ｏが形成されている。積層方向に交差する方向（Ｘ方向及びＹ方向）において、凹部Ｏの寸法は冷却板１４の寸法より大きくなっている。
【００３２】
図４に示されるように、積層方向から見て、冷却板１４は矩形状であり、位置決め部６０は、少なくとも冷却板１４の対角線上の一対の角部に対応する位置に設けられる。本実施形態では、位置決め部６０は、冷却板１４の全ての角部に対応する位置にそれぞれ設けられている。位置決め部６０は、例えば、積層方向から見たときの蓄電モジュール１２の中心と冷却板１４の中心とが略一致するように、冷却板１４を固定している。なお、本実施形態では４つの位置決め部６０が設けられているが、位置決め部６０は、冷却板１４の対角線上の一対の角部に対応する位置に２つのみ設けられていてもよい。
【００３３】
それぞれの位置決め部６０は、冷却板１４に設けられた貫通孔１４Ｈが延びる交差方向（Ｙ方向）に沿って延びる第１延在部６１と、積層方向及び交差方向に交差する方向（Ｘ方向）に沿って延びる第２延在部６２と、を有しており、積層方向から見てＬ字状である。それぞれの位置決め部６０の第１延在部６１は、交差方向（Ｙ方向）に沿って延びる冷却板１４の側面１４ａ，１４ｂに当接している。同様に、それぞれの位置決め部６０の第２延在部６２は、積層方向及び交差方向に交差する方向（Ｘ方向）に沿って延びる冷却板１４の側面１４ｃ，１４ｄに当接している。第１延在部６１と冷却板１４の側面１４ａ，１４ｂとが当接する部分の長さＬ１は、第２延在部６２と冷却板１４の側面１４ｃ，１４ｄとが当接する部分の長さＬ２よりも長くなっている。換言すると、貫通孔１４Ｈが延びる方向に交差するＸ方向に延在する第２延在部６２の寸法は小さくなっている。これにより、位置決め部６０によって貫通孔１４Ｈにおける冷媒の流通が妨げられ、冷却板１４による冷却能力の低下が抑制されている。
【００３４】
位置決め部６０は、例えば絶縁性の樹脂を用いた射出成形によって、枠体５０の第２樹脂部５４と共に形成される。位置決め部６０を構成する樹脂材料としては、枠体５０と同様に、ポリプロピレン（ＰＰ）、ポリフェニレンサルファイド（ＰＰＳ）、及び変性ポリフェニレンエーテル（変性ＰＰＥ）等が用いられ得る。
【００３５】
以上説明したように、蓄電装置１０では、蓄電モジュール１２に、蓄電モジュール１２に対する冷却板１４の位置を規定する位置決め部６０が設けられている。このように位置決め部６０が設けられていることにより、蓄電モジュール１２に対して冷却板１４が固定される。したがって、蓄電モジュール１２と冷却板１４との位置ずれを抑制することができる。その結果、蓄電モジュール１２の複数のバイポーラ電極３２のうち、冷却板１４に接する電極板３４（正極側終端電極）が破損することを抑制できる。
【００３６】
また、積層方向から見て冷却板１４は矩形状であり、位置決め部６０は、少なくとも冷却板１４の対角線上の一対の角部に対応する位置に設けられると共に、積層方向から見てＬ字状である。これにより、位置決め部６０の体積を小さくできるので、材料費の低減を図りつつ、蓄電モジュール１２と冷却板１４との位置ずれを抑制することができる。
【００３７】
また、それぞれの位置決め部６０は、積層方向に交差する交差方向に延びる第１延在部６１と、積層方向及び交差方向に交差する方向に延びる第２延在部６２とを有し、第１延在部６１と冷却板１４とが互いに当接する部分の長さＬ１は、第２延在部６２と冷却板１４とが互いに当接する部分の長さＬ２はより長くなっている。これにより、貫通孔１４Ｈが延びる方向に交差するＸ方向に延在する第２延在部６２の寸法は小さくなっているので、位置決め部６０によって貫通孔１４Ｈにおける冷媒の流通が妨げられ、冷却板１４による冷却能力が低下することを抑制できる。
【００３８】
また、蓄電装置１０は、蓄電モジュール１２及び冷却板１４をそれぞれ複数備え、蓄電モジュール１２と冷却板１４とは交互に積層され、位置決め部６０は、それぞれの蓄電モジュール１２の一方側の端部１２ａにのみ設けられている。このように、それぞれの蓄電モジュール１２の他方側の端部１２ｂに位置決め部６０が設けられていないので、蓄電モジュール１２と、この蓄電モジュール１２の他方側（端部１２ｂ側）に配置され、他の蓄電モジュール１２の位置決め部６０によって位置決めされた冷却板１４との間で寸法の公差を吸収できる。したがって、複数の蓄電モジュール１２と複数の冷却板１４との積層を容易に行うことができる。
【００３９】
次に、図５を参照して、変形例に係る位置決め部７０について説明する。位置決め部７０は、位置決め部６０と同様に、それぞれの蓄電モジュール１２の一方側（すなわち、蓄電モジュール１２の正極となる側）の端部１２ａに設けられている。位置決め部７０は、枠体５０の外壁を構成する第２樹脂部５４から積層方向に交差する面に沿って延出し、冷却板１４に当接している。位置決め部７０が位置決め部６０と相違する点は、冷却板１４の対角線上の角部ではなく、冷却板１４の貫通孔１４Ｈが延在する方向に沿った冷却板１４の側面１４ａ，１４ｂに対応する位置にそれぞれ設けられている点である。図５に示される例では、位置決め部７０は、交差方向に沿って延びる矩形状である。
【００４０】
上記の変形例においても、蓄電モジュール１２に、蓄電モジュール１２に対する冷却板１４の位置を規定する位置決め部７０が設けられているので、蓄電モジュール１２に対して冷却板１４が固定される。したがって、蓄電モジュール１２と冷却板１４との位置ずれを抑制することができる。その結果、蓄電モジュール１２の複数のバイポーラ電極３２のうち、冷却板１４に接する電極板３４（正極側終端電極）が破損することを抑制できる。
【００４１】
また、位置決め部７０は、貫通孔１４Ｈが延在する交差方向に沿った冷却板１４の側面１４ａ，１４ｂに対応する位置に設けられている。これにより、冷媒の流通を妨げない位置に位置決め部７０が設けられているので、冷却板１４による冷却能力を低下させることなく、蓄電モジュール１２と冷却板１４との位置ずれを抑制することができる。
【００４２】
次に、図６を参照して、他の変形例に係る位置決め部８０について説明する。位置決め部８０は、位置決め部６０及び位置決め部７０と同様に、それぞれの蓄電モジュール１２の一方側（すなわち、蓄電モジュール１２の正極となる側）の端部１２ａに設けられている。位置決め部８０も、枠体５０の外壁を構成する第２樹脂部５４から積層方向に交差する面に沿って延出し、冷却板１４に当接している。位置決め部８０が位置決め部６０，７０と相違する点は、蓄電モジュール１２の一方側の端部１２ａから積層方向に突出している点である。図５に示される例では、積層方向における位置決め部７０の寸法は、積層方向における冷却板１４の寸法と略同一である。すなわち、位置決め部６０の上面と冷却板１４の上面とは面一である。また、蓄電モジュール１２の他方側の端部１２ｂに設けられた凹部Ｏは、位置決め部８０及び冷却板１４に対応している。すなわち、積層方向に交差する方向（Ｘ方向及びＹ方向）において、凹部Ｏの寸法は、位置決め部８０及び冷却板１４の寸法と略同一である。
【００４３】
なお、位置決め部８０は、例えば位置決め部６０と同様に、冷却板１４の角部に対応した位置に設けられ、Ｌ字状であってもよい。また、位置決め部８０は、位置決め部７０と同様に、冷却板１４の貫通孔１４Ｈが延在する方向に沿った冷却板１４の側面１４ａ，１４ｂに対応する位置にそれぞれ設けられ、交差方向に延びる矩形状であってもよい。
【００４４】
上記の他の変形例においても、蓄電モジュール１２に、蓄電モジュール１２に対する冷却板１４の位置を規定する位置決め部８０が設けられているので、蓄電モジュール１２に対して冷却板１４が固定される。したがって、蓄電モジュール１２と冷却板１４との位置ずれを抑制することができる。その結果、蓄電モジュール１２の複数のバイポーラ電極３２のうち、冷却板１４に接する電極板３４（正極側終端電極）が破損することを抑制できる。
【００４５】
また、蓄電モジュール１２の一方側の端部１２ａから積層方向に突出し、蓄電モジュール１２の他方側の端部１２ｂには、位置決め部８０及び冷却板１４に対応した凹部Ｏが設けられている。これにより、一の蓄電モジュール１２の位置決め部８０が、一の蓄電モジュール１２の一方側（すなわち、蓄電モジュール１２の正極となる側）において隣り合う他の蓄電モジュール１２の凹部Ｏに嵌合可能である。したがって、位置決め部８０によって隣り合う蓄電モジュール１２同士の位置決めを行うことができる。
【００４６】
以上、本発明の実施形態について説明してきたが、本発明は上記の実施形態に限定されず、種々の変更を行うことができる。例えば、上記の実施形態では、位置決め部６０が蓄電モジュール１２の一方側の端部１２ａのみに設けられている例について説明したが、位置決め部６０は、蓄電モジュール１２の他方側の端部１２ｂのみに設けられていてもよい。また、位置決め部６０は、図７に示されるように、蓄電モジュール１２の一方側の端部１２ａ及び他方側の端部１２ｂの両方に設けられていてもよい。この場合、一の冷却板１４が隣り合う２つの蓄電モジュール１２の位置決め部６０によって固定されるので、蓄電モジュール１２と冷却板１４との位置ずれをより確実に抑制することができる。
【００４７】
また、上記の実施形態では、積層方向から見た位置決め部の形状がＬ字状又は矩形状である例について説明したが、位置決め部の形状、及び位置決め部が設けられる位置は特に限定されず、適宜変更可能である。例えば、位置決め部は、積層方向から見て冷却板１４に対応した開口を有する矩形枠状であってもよい。すなわち、位置決め部は、貫通孔１４Ｈを完全に塞がないように冷却板１４の側面１４ａ，１４ｂ，１４ｃ，１４ｄの全面に接していてもよい。この場合、位置決め部、枠体５０、及び冷却板１４によって積層体３０の全面が覆われるので、例えば積層体３０の内圧が上昇した場合であっても、蓄電モジュール１２の変形を抑制することができる。
【００４８】
また、上記の実施形態では、冷却板１４の対角線上の角部に対応した位置、又は、冷却板１４の貫通孔１４Ｈが延在する交差方向（Ｙ方向）に沿った冷却板１４の側面１４ａ，１４ｂに対応する位置に位置決め部が設けられている例について説明したが、位置決め部は、積層方向及び交差方向に交差する方向（Ｘ方向）に沿った冷却板１４の側面１４ｃ，１４ｄに対応する位置に貫通孔１４Ｈを完全に塞がないように設けられていてもよい。
【００４９】
また、上記の実施形態では、蓄電装置１０が複数の蓄電モジュール１２を備える例について説明したが、蓄電装置１０は１つの蓄電モジュール１２のみを備えていてもよい。この場合においても、位置決め部６０は、蓄電モジュール１２の一方側の端部１２ａのみに設けられていてもよいし、蓄電モジュール１２の一方側の端部１２ａ及び他方側の端部１２ｂの両方に設けられていてもよい。
【００５０】
また、上記の実施形態では、射出成形によって、第２樹脂部５４と共に位置決め部を形成する例について説明したが、位置決め部を第２樹脂部５４とは別に形成し、蓄電モジュール１２に取り付けてもよい。
【００５１】
また、上記の実施形態では、冷却板１４が貫通孔１４Ｈを有する例について説明したが、冷却板１４は貫通孔１４Ｈを有していなくてもよい。
【００５２】
また、上記の実施形態では、蓄電装置１０がニッケル水素二次電池である例について説明したが、蓄電装置１０はリチウムイオン二次電池であってもよい。この場合、正極活物質は、例えば複合酸化物、金属リチウム、硫黄等である。負極活物質は、例えば黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素等である。
【符号の説明】
【００５３】
１０…蓄電装置、１２…蓄電モジュール、１２ａ，１２ｂ…端部、１４…冷却板、１４Ｈ…貫通孔、１４ａ，１４ｂ，１４ｃ，１４ｄ…側面、３０…積層体、３２…バイポーラ電極、３４…電極板、３６…正極層、３８…負極層、４０…セパレータ、６０，７０，８０…位置決め部、Ｏ…凹部。
【図１】
2019175585.tif 000003
【図２】
2019175585.tif 000004
【図３】
2019175585.tif 000005
【図４】
2019175585.tif 000006
【図５】
2019175585.tif 000007
【図６】
2019175585.tif 000008
【図７】
2019175585.tif 000009